(57)【要約】【課題】画像サイズ情報を必要とせずに、多様な複合同期信号から垂直同期信号を分離可能とすることで、ホスト装置との接続性の確度を向上した画像取り込み装置を提供する。【解決手段】複合同期信号から垂直同期信号を分離するために使用する垂直同期信号検出用パルスのパルス幅値設定に関し、初めに水平周期の概略計測を行って、該結果を基にパルス幅値を設定し、次いで水平周期の詳細計測を行って、該結果を基に算出したパルス幅値を最終値として設定するようにした。【選択図】    図２
2004328441.tif 000002
【特許請求の範囲】
【請求項１】
ホス卜装置からのビデオ信号を受信し、該ビデオ信号から水平同期信号と垂直同期信号と画像信号の３つの信号をそれぞれ分離して検出するビデオ信号受信部を備え、前記ホスト装置において生成した画像を前記ビデオ信号受信部を介して取り込む画像取り込み装置であって、
前記ビデオ信号受信部は、
自ら発生する垂直同期信号検出用パルスを用いて、前記水平同期信号と前記垂直同期信号とが重畳された複合同期信号から、前記水平同期信号と前記垂直同期信号とを分離するシンクセパレータと、
前記複合同期信号の所定時間内に発生するパルス数を計測することにより、前記垂直同期信号検出用パルスのパルス幅値を概略設定し、概略設定した前記パルス幅値に基づいてＣＰＵを介しながら前記垂直同期信号検出用パルスのパルス幅を制御する水平周期概略計測部と、
該水平周期概略計測部によって概略設定された前記垂直同期信号検出用パルスを用いて前記シンクセパレータにおいて分離するように出力された前記水平同期信号と前記垂直同期信号とから、再度、前記垂直同期信号検出用パルスのパルス幅を再設定し、再設定された前記パルス幅値に基づいてＣＰＵを介しながら前記垂直同期信号検出用パルスのパルス幅を制御し直す水平周期詳細計測部と、を少なくとも具備することを特徴とする画像取り込み装置。
【請求項２】
前記水平周期概略計測部は、カウント開始信号及びカウント終了設定値に基づいて、前記所定時間を計測する第１のカウンタと、該第１のカウンタが作動している前記所定時間内に発生する前記複合同期信号のパルス数を計測する第２のカウンタとからなることを特徴とする請求項１に記載の画像取り込み装置。
【請求項３】
前記水平周期詳細計測部は、前記シンクセパレータにおいて分離するように出力された前記垂直同期信号以降に発生する前記水平同期信号の数を計測する第３のカウンタと、前記垂直同期信号以降のＮ（整数）番目の前記水平同期信号からＮ＋１番目の前記水平同期信号までの時間を計測する第４のカウンタとからなることを特徴とする請求項１に記載の画像取り込み装置。
【請求項４】
更に、外部に設けられた画像情報出力装置と接続するインターフェース部を具備することを特徴とする請求項１〜３の何れかに記載の画像取り込み装置。
【請求項５】
前記画像情報出力装置は、画像または文字を記録用紙に印刷するプリンタ、ネットワークを介して他の装置に送信する通信装置、画像または文字を投影するプロジェクタ、画像または文字に係るデータを記憶する補助記憶装置またはメモリカード、の何れかであることを特徴とする請求項４に記載の画像取り込み装置。
【請求項６】
請求項１〜３の何れかに記載の画像取り込み装置を内蔵して、画像または文字に係る画像情報の処理を行う画像処理装置。
【発明の詳細な説明】
【０００１】
【発明の属する技術分野】
本発明は、ホスト装置からビデオ信号を入力し、該信号の画像情報を取り込んでプリンタに出力したり、ネットワークを介して他の装置に送信したり、プロジェクタに出力するための画像取り込み装置、及び該画像取り込み装置を内蔵して、画像または文字に係る画像情報の処理を行う画像処理装置に関する。
【０００２】
【従来の技術】
ビデオ信号形式には、水平同期信号（以下Ｈ信号と略す）と、垂直同期信号（以下Ｖ信号と略す）と、レッド、グリーン、ブルーの画像信号（以下Ｒ、Ｇ、Ｂ信号と略す）の５つの信号から構成されるセパレート型と、Ｖ信号が重畳されたＨ信号と、Ｒ、Ｇ、Ｂ信号の４つの信号で構成されるコンポジットシンク型と、Ｖ信号、Ｈ信号がＧ信号に重畳、もしくはＲ、Ｇ、Ｂ信号すべてに重畳したＲ、Ｇ、Ｂの３つの信号から構成されるコンポジットビデオ型がある。
【０００３】
画像情報を取り込むには、Ｖ信号から画像フレームの開始を示すフレーム開始信号を検知し、Ｈ信号からは、画像走査ラインの開始を示すライン開始信号を検知する必要がある。セパレート型では、Ｖ信号、Ｈ信号が独立しているため、フレーム開始、ライン開始を特別な処理をせずとも検知することができる。しかしコンポジットシンク型やコンポジットビデオ型では、Ｖ信号とＨ信号が重畳しているため、各々の信号を分離する必要がある。基本的には片方の信号を取り出すことで残りの信号は分離でき、一般的には周波数の低いＶ信号を取り出す方法をとることが多い。例えば、コンポジットビデオ型を例にとって以下に説明する。このコンポジットビデオ型では、ビデオ信号は、図９に示すような信号波形であり、通常、コンポジットビデオ信号と称されている。このコンポジットビデオ信号は、図９に示すように、Ｈ信号とＶ信号が重畳されたパルス状の同期信号（以下、複合同期信号と称す）に更に画像信号が重畳された形の信号となっており、ほとんどの場合、この複合同期信号の振幅値は、０．３Ｖｐ−ｐ程度である。そのため、この振幅値に注目し、例えば図１０に示すように、適当な閾値電圧（図１０の場合は、０．１５Ｖ）に設定されたコンパレータ回路を用いると、このコンポジットビデオ信号から画像信号のみを取り除いて、Ｈ信号とＶ信号が重畳された複合同期信号のみを分離させることができる。
次に、このようにして得られた複合同期信号をＶ信号とＨ信号のそれぞれの同期信号に分離する方法について説明する。上述したように、基本的には片方の同期信号、即ち周波数の低いＶ信号を取り出すことにより残りのＨ信号は分離することができる。
【０００４】
図１１は、複合同期信号からＶ信号を分離する方法を説明するためのタイムチャート図である。この複合同期信号からＶ信号を分離するためには、図１１に示すように、複合同期信号の立ち下がりを起点として、適当なパルス幅を持ちながら一定周期で繰り返し生じる垂直同期信号検出用パルスを発生させ、この垂直同期信号検出用パルスの立ち上がり（図１１中の黒丸）で、前記複合同期信号をサンプリングし、１（または、Ｈｉｇｈ）ならば非垂直同期部、０（または、Ｌｏｗ）ならば垂直同期部（即ち、Ｖ信号）と判定して図１１に示すごとくＶ信号を分離することができる。
【０００５】
この垂直同期信号検出用パルスのパルス幅であるが、通常、画像サイズ情報より得られる大凡の値を用いている。一例をあげると、水平画素数＊垂直画素数＝６４０＊４８０のＶＧＡモードでは、水平同期信号の１周期（以下水平周期と略す）が３０μｓ程度なので、その３０％の９μｓを垂直同期信号検出用パルスのパルス幅とし、また水平画素数＊垂直画素数＝１０２４＊７６８のＸＧＡモードでは、水平周期が２０μｓ程度なので、その３０％の６μｓを垂直同期信号検出用パルスのパルス幅とするのが、これまでの通例である。
【０００６】
この垂直同期信号検出用パルスのパルス幅を決めるにあたり、水平周期の３０％とすることに関しては、次のような理由があり、図１２を用いて簡単に説明する。
【０００７】
図１２は、複合同期信号の種類およびタイミングを説明するタイムチャート図である。最近のモニター装置とかビデオディスプレイ装置といった表示装置は、表示の高品質化のために種種のパルス信号を用いて処理を行うものが多く、そのために、図１２に示すように垂直同期部（Ｖ信号）領域内にセレーション（逆極性パルス）とか等化パルスといった複雑な不要パルスが混入している場合がある。この垂直同期部（Ｖ信号）領域内にセレーション（逆極性パルス）が混入した例を示すものが複合同期信号Ａであり、また、このセレーションと重なるように更に等化パルスも混入した例を示すものが複合同期信号Ｂである。
【０００８】
なお、複合同期信号Ｃは、垂直同期部（Ｖ信号）領域内にセレーションも等化パルスも混入していないビデオ同期信号を示している。このような種々の複合同期信号を想定してみると、例えば、複合同期信号Ａのようなケースでは、前記垂直同期信号検出用パルスのパルス幅が短すぎるとＨ信号をＶ信号として誤認してサンプリングしてしまう恐れがあり、一方、複合同期信号Ｂのようなケースでは、前記垂直同期信号検出用パルスのパルス幅が５０％から６０％の長いパルス幅になると、等化パルスをＶ信号としてサンプリングし誤認してしまう恐れがある。そのために、これまでの経験から、垂直同期信号検出用パルスのパルス幅は、水平周期の３０％程度とするのが通例となっている（例えば、非特許文献１）。
【０００９】
【非特許文献１】
アナログデバイス、ドキュメント、（日本時間、２００３年２月１４日検索）インターネット＜ＵＲＬ、ｈｔｔｐ：／／ｗｗｗ．ａｎａｌｏｇ．ｃｏｍ／ＵｐｌｏａｄｅｄＦｉｌｅｓ／Ｄａｔａｓｈｅｅｔｓ／９１１９０１６ＡＤ９８８８＿ａ．ｐｄｆ＞
【００１０】
【発明が解決しようとする課題】
すべてのホスト装置のビデオ信号が前記ＶＧＡやＸＧＡのような規格に沿ったものとは限らず、独自のタイミングで信号を出力している機器も多い。特に計測器、工業プラント制御機器、医療機器などが出力しているビデオ信号では一品一様のケースも目立つ。また近年では画像サイズがＶＧＡやＸＧＡの規格サイズでも垂直周波数、水平周波数が複数存在するようになった。そのため、複合同期信号からＶ信号を取り出す方法自体は、従来通り、同期信号の立ち下がりを起点に垂直同期信号検出用パルスを発生して該同期信号をサンプリングする方法で問題ないが、垂直同期信号検出用パルスのパルス幅の決定においては、画像サイズからだけでは決めにくくなってきている。
【００１１】
また、水平周期を計測し、該周期の３０％を前記パルス幅とすればよいわけだが、そもそも複合同期信号からＶ信号、Ｈ信号を分離しなければ水平周期を計測することができない。しかも、複合同期信号の水平周期を計測しようとしても、計測したタイミングが偶然にも垂直同期の部分と重なってしまうということもある。以上のように、種々の複雑なビデオ信号を発生するあらゆるホスト装置に対応可能な画像取り込み装置が求められている。
【００１２】
そこで本発明は、ホスト装置が生成する画像サイズ情報を必要とせず、しかも多種多様なビデオ信号、特に複合同期信号から垂直同期信号及び水平同期信号を分離可能とし、あらゆるホスト装置に対応可能な画像取り込み装置を提供することを課題とするものである。
【００１３】
【課題を解決するための手段】
そのため、本発明では複合同期信号からＶ信号を取り出すための垂直同期信号検出用パルス幅の適性値を求めるにあたり、まず概略の水平周期を計測して垂直同期信号検出用パルス幅の概略の適性値を求め、次に該パルス幅値を用いてＶ信号を取り出すと共にＨ信号の周期（即ち、水平周期）を計測し、計測の結果求まった正確な水平周期の３０％の値を最終的な垂直同期信号検出用パルス幅として用いることが可能な装置構成とした。
【００１４】
即ち、概略の水平周期を求めるために、複合同期信号の立ち下がりの数をカウントする第１のカウンタと、第１のカウンタのイネーブル時間を管理する第２のカウンタからなる第１の水平周期概略計測部、及び複合同期信号をＶ信号、Ｈ信号に分離するシンクセパレータから出力されたＶ信号をカウント開始プリトリガとし、計測対象のＨ信号周期の間、計測イネーブル信号を出力する第３のカウンタと、該イネーブル信号が１の間の時間を計測する第４のカウンタからなる第２の水平周期詳細計測部、さらに第１の水平周期概略計測部、第２の水平周期詳細計測部のシーケンスを制御するためのＣＰＵを用いる構成とした。
【００１５】
従って、本発明の画像取り込み装置は、ホス卜装置からのビデオ信号を受信し、該ビデオ信号から水平同期信号と垂直同期信号と画像信号の３つの信号をそれぞれ分離して検出するビデオ信号受信部を備え、前記ホスト装置において生成した画像を前記ビデオ信号受信部を介して取り込む画像取り込み装置であって、前記ビデオ信号受信部は、自ら発生する垂直同期信号検出用パルスを用いて、前記水平同期信号と前記垂直同期信号とが重畳された複合同期信号から、前記水平同期信号と前記垂直同期信号とを分離するシンクセパレータと、前記複合同期信号の所定時間内に発生するパルス数を計測することにより、前記垂直同期信号検出用パルスのパルス幅値を概略設定し、概略設定した前記パルス幅値に基づいてＣＰＵを介しながら前記垂直同期信号検出用パルスのパルス幅を制御する水平周期概略計測部と、該水平周期概略計測部によって概略設定された前記垂直同期信号検出用パルスを用いて前記シンクセパレータにおいて分離するように出力された前記水平同期信号と前記垂直同期信号とから、再度、前記垂直同期信号検出用パルスのパルス幅を再設定し、再設定された前記パルス幅値に基づいてＣＰＵを介しながら前記垂直同期信号検出用パルスのパルス幅を制御し直す水平周期詳細計測部とを少なくとも具備することを特徴とするものである。
【００１６】
【発明の実施の形態】
以下、本発明の実施の形態を図面に基づいて説明する。
【００１７】
図１（ａ）は、本発明の実施の形態の画像取り込み装置の外部接続構成を示すブロック図である。この実施の形態の画像取り込み装置１は、ホスト装置から出力されるビデオ信号を取り込み、画像情報をプリンタに出力したり、ネットワークを介して他の装置に送信したり、プロジェクタに出力したり、ハードディスクなどの補助記憶装置やメモリカードに保存したりするものである。当然ながらすべの出力を備えていなければならないものではなく、必要に応じて前記のいずれかの画像情報出力装置に対して、適宜、出力可能に構成することができる。
【００１８】
なお、このホスト装置としては、例えばオフィスにて使用されるようなパーソナルコンピュータやワークステーション等が一例であり、その他、医療分野、産業分野、計測分野等の画像処理を行う分野において使用される専用の制御モニター装置等も含まれる。
【００１９】
一方、図１（ｂ）は、本発明の他の実施形態を示す外部接続構成例を示すものであるが、図１（ｂ）のように、画像取り込み装置１と同等の機能を有する画像取り込み部をプリンタに内蔵した一体型の装置（画像処理装置）においても、本発明を適用することができる。また当然ながら、プリンタに限らず前述のようなプロジェクタ、ハードディスクなどの補助記憶装置、メモリカード、ネットワーク機器などといった適宜の画像情報出力装置の中に組み込まれた一体型装置（画像処理装置）として構成することも可能である。
【００２０】
図２は、画像取り込み装置１の全体構成を示すブロック図である。ホスト装置から出力されるビデオ信号をビデオ信号受信部２６にて受信する。ビデオ信号受信部２６は、該ビデオ信号を垂直同期信号、水平同期信号、画像信号に分離して画像メモリ書き込み／読み出し制御部２７に出力する。
【００２１】
画像メモリ書き込み／読み出し制御部２７は、分離された画像信号を解析して画像情報を得、画像メモリ２８に対してその画像情報を書き込む。画像メモリ２８に書き込まれた画像情報は、画像メモリ書き込み／読み出し制御部２７を介してプリンタインタフェース部２９から読み出され、外部に接続されたプリンタに出力されたり、ネットワークインタフェース部３０から読み出されてネットワーク上に送信されたり、ビデオ信号出力部３１から読み出されてプロジェクタに出力されたり、ディスクドライブインタフェース部３２から読み出されて外部に接続されたハードディスクやフロッピーディスク、ＣＤ−Ｒ、ＣＤ−ＲＷなどの補助記憶装置に保存されたり、メモリカードインタフェース部３３から読み出されて外部に接続されたメモリカードに保存される。
【００２２】
なお前述の各インタフェース規格としては、例えばプリンタインタフェースとしてはＩＥＥＥ１２８４、ＵＳＢ、ＩＥＥＥ１３９４などがあり、ネットワークインタフェースとしては１００ＢＡＳＥ−ＴＸ、ビデオ信号出力規格としてはＶＧＡ、ＸＧＡなどの他、ＲＳ−１７０Ａなどがある。またディスクドライブインタフェースとしてはＳＣＳＩやＡＴＡ、メモリカードインタフェースとしてはＰＣＭＣＩＡなどがあり、前記各インタフェース部は、それらの規格に沿った信号仕様で画像情報を外部に出力、送信するものである。
【００２３】
一方、制御系としては、プリンタ内部の統括的な制御を行うＣＰＵ（Ｃｅｎｔｒａｌ  Ｐｒｏｃｅｓｓｉｎｇ  Ｕｎｉｔ）２１、ＣＰＵ２１により実行される制御プログラムや制御データが格納されたＲＯＭ（Ｒｅａｄ  Ｏｎｌｙ  Ｍｅｍｏｒｙ）２２、ＣＰＵ２１に作業メモリ空間を提供するＲＡＭ（Ｒａｎｄｏｍ  Ａｃｃｅｓｓ  Ｍｅｍｏｒｙ）２３、ユーザが登録したカスタム情報等が格納されており、バックアップバッテリにより電源遮断時でもデータを保持可能なＮＶＲＡＭ（ｎｏｎ−ｖｏｌａｔｉｌｅ  ＲＡＭ）２４、操作パネル３４からのキー入力や操作パネル３４の表示部への出力制御を行う操作パネル制御部２５などが設けられている。
【００２４】
図３は、図２のビデオ信号受信部２６の内部ブロック図である。ホスト装置から出力されるビデオ信号には、垂直同期信号ＶＩＮ、水平同期信号ＨＩＮ、レッド（赤）アナログ画像信号ＲＡ、グリーン（緑）アナログ画像信号ＧＡ、ブルー（青）アナログ画像信号ＢＡがある。信号ＲＡ、ＧＡ、ＢＡは、各々ＡＣカップリング４１で交流成分が取り出され、オペアンプ４２で増幅されてＡ／Ｄコンバータ４３でデジタル画像信号ＲＤ、ＧＤ、ＢＤに変換される。ビデオ信号の水平同期信号は、水平同期信号ＨＩＮとして独立の信号で出力されている場合と、画像信号、例えばグリーンに重畳されている場合があるため、セレクタ４５にてどちらか一方が選択される。
【００２５】
グリーンアナログ画像信号ＧＡに重畳された水平同期信号は、ＡＣカップリング４１で交流成分が取り出され、コンパレータ４４でデジタル信号化された後、セレクタ４５に入力される。セレクタ４５から出力された水平同期信号は、シンクセパレータ４６を介して水平同期信号ＨＳＹＮＣ、即ち信号ＨＯＵＴとして画像メモリ書き込み／読み出し制御部２７に出力される。
【００２６】
ビデオ信号の垂直同期信号は、垂直同期信号ＶＩＮとして独立の信号で出力されている場合と、水平同期信号ＨＩＮに重畳されている場合と、画像信号、例えばグリーンに重畳されている場合がある。このうち単独のＶ信号として出力されている場合は、該ＶＩＮ信号がセレクタ４６を介して信号ＶＯＵＴとして出力される。Ｖ信号が水平同期信号ＨＩＮに重畳されている場合は、セレクタ４５でＨＩＮが選択され、シンクセパレータ４６でＶ信号が分離され、セレクタ４９で該Ｖ信号、即ちＶＳＹＮＣが選択されて信号ＶＯＵＴとして画像メモリ書き込み／読み出し制御部２７に出力される。
【００２７】
Ｖ信号が画像信号、例えばグリーンに重畳されている場合は、セレクタ４５でコンパレータ４４から出力されるＶ信号が重畳したＨ信号が選択され、シンクセパレータ４６で該Ｖ信号が分離され、セレクタ４９でシンクセパレータ４６から出力されるＶ信号、即ちＶＳＹＮＣが選択されて信号ＶＯＵＴとして画像メモリ書き込み／読み出し制御部２７に出力される。水平周期概略計測部４７は、概略の水平周期を計測するブロックであり、また水平周期詳細計測部４８は、詳細な水平周期を計測するブロックであるが、詳細は次の図４の水平周期計測ブロック２の説明にて記述する。
【００２８】
図４は、図３の水平周期計測ブロック２の内部ブロック図である。本ブロック内の水平周期概略計測部４７にてセレクタ４５より出力された複合同期信号に対して概略の水平周期計測を行い、さらに水平周期詳細計測部４８にて詳細の水平周期計測を行って最終的なＶ信号分離に使用する垂直同期信号検出用パルス幅値を求め、該パルス幅値をシンクセパレータ４６に設定して、複合同期信号から分離したＶ信号を信号ＶＳＹＮＣとしてセレクタ４９に出力する。
【００２９】
その具体的な処理手順について、図４及び図５を参照しながら説明する。なお、図５は、前述の水平周期概略計測部４７での水平周期計測における、複合同期信号とカウンタ５１のカウント値ＣＮＴ１の遷移を示すタイムチャート図であり、ここではカウンタ５２のカウントイネーブル時間ｔを２０ｍｓとして動作させ、カウンタ５２のカウント終了時点でのカウンタ５１のカウント結果がＣＮＴ１＝１０６６となった例を示している。
【００３０】
まず、ＣＰＵ２１は、信号ＣＬＫをカウントクロックとするカウンタ５２に対してカウント時間ｔを設定する。次にＣＰＵ２１は、カウンタ５２に対してカウント開始信号ＳＴを出力する。カウンタ５２は、カウント時間ｔだけ、カウンタ５１に対してカウントイネーブル信号ＥＮ２に１を出力する。カウンタ５１は信号ＥＮ２が１の間、複合同期信号の立ち下がりをカウントクロックとしてカウントアップする。カウント時間ｔが経過すると信号ＥＮ２は０となり、カウンタ５１はカウント動作を停止すると同時にＣＰＵ２１はカウント終了を検知する。
【００３１】
ＣＰＵ２１は、カウンタ５１のカウント値ＣＮＴ１を読み出し、概略の水平周期をｔ／ＣＮＴ１の演算にて算出し、複合同期信号からＶ信号を分離するために使用する垂直同期信号検出用パルスのパルス幅ＰＬＳを演算式ｔ／ＣＮＴ１＊０．３より算出してシンクセパレータ４６にセットする。
【００３２】
図５に示す例では、カウンタ５２のカウントイネーブル時間ｔを２０ｍｓとして動作させ、カウンタ５２のカウント終了時点でのカウンタ５１のカウント結果がＣＮＴ１＝１０６６となり、この場合、ＣＰＵ２１はＰＬＳ＝ｔ／ＣＮＴ１＊０．３＝５．６２［μｓ］を複合同期信号からＶ信号を分離するために使用する垂直同期信号検出用パルスのパルス幅値としてシンクセパレータ４６にセットすることとなる。
【００３３】
図６は、前記のようにしてＰＬＳに５．６２［μｓ］を設定した結果、Ｖ信号が複合同期信号から分離されるようになった状態を示すタイムチャート図である。この段階でも十分精度良くＶ信号を分離することができるが、さらに詳細に水平周期を計測して前記垂直同期信号検出用パルスＰＬＳのパルス幅値を算出して適用する実施例について図４及び図７を参照しながら次に述べる。なお、詳細な説明は省くが、水平周期の詳細値は、図３のＡ／Ｄコンバータ４３でアナログ画像信号をデジタル信号化する際に必要となるため、複合同期信号からのＶ信号分離が前記水平周期の概略計測だけで十分としても水平周期の詳細計測が不要となるものではない。
【００３４】
図７は、前述の水平周期詳細計測部４８での水平周期詳細計測における、ＶＳＹＮＣ信号、ＨＳＹＮＣ信号と、カウンタ５３、カウンタ５４の遷移を示すタイムチャート図である。ここではカウンタ５４のカウントクロック信号ＣＬＫの周期Ｔを０．１μｓ、カウンタ５４のカウントイネーブルタイミングを、ＶＳＹＮＣ後１０番目のＨＳＹＮＣから１１番目のＨＳＹＮＣの間としている。
【００３５】
カウントイネーブルタイミングをＶＳＹＮＣ直後ではなくＮ番目（本例では１０番目）とするのは、図１２の複合同期信号Ｂのように垂直同期部およびその前後に等化パルスが存在するケースにおいても正しい水平周期を計測できるようにするためである。通常、同期信号に等化パルスが存在する場合は、垂直同期部の前後３水平周期程度までであるため、ＶＳＹＮＣ以降で等化パルスが存在しなくなるタイミングまでのＨＳＹＮＣパルス数は２＊３＝６程度となり、本例のようにマージンをみてＮ＝１０程度とすることで十分である。
【００３６】
図４において、カウンタ５３は、シンクセパレータ４６から出力されるＶＳＹＮＣ以降、Ｎ番目のＨＳＹＮＣからＮ＋１番目のＨＳＹＮＣの間、カウンタ５４のカウントイネーブル信号ＥＮ３に１を出力する。クロック周期をＴとする信号ＣＬＫをカウントクロックとするカウンタ５４は、信号ＥＮ３が１の間、カウントアップする。Ｎ＋１番目のＨＳＹＮＣが出力されると信号ＥＮ３は０となり、カウンタ５４はカウント動作を停止すると同時にＣＰＵ２１はカウント終了を検知する。
【００３７】
ＣＰＵ２１はカウンタ５４のカウント値ＣＮＴ４を読み出し、詳細な水平周期を演算式Ｔ＊ＣＮＴ４にて算出し、複合同期信号からＶ信号を分離するために使用する垂直同期信号検出用パルスのパルス幅ＰＬＳを演算式Ｔ＊ＣＮＴ４＊０．３より算出してシンクセパレータ４６にセットする。
【００３８】
図７に示す例では、カウンタ５４のカウント終了値は１８９となり、詳細な水平周期の値は、ＣＰＵ２１によって、Ｔ＊ＣＮＴ４＝０．１［μｓ］＊１８９＝１８．９［μｓ］と求まり、垂直同期信号検出用パルスのパルス幅ＰＬＳは、ＰＬＳ＝Ｔ＊ＣＮＴ４＊０．３＝５．６７［μｓ］と求まる。最後にＣＰＵ２１はＰＬＳ＝５．６７［μｓ］をシンクセパレータ４６に設定し、複合同期信号からＶ信号を分離するために使用される。以上のような手順により、より詳細な垂直同期信号検出用パルスのパルス幅の値が決定されることとなる。
【００３９】
図８は、図１２のような３つのケースの複合同期信号に対して、本発明の同期信号分離フローが適用できる様子を示したタイムチャート図で、図８（ａ）は、図１２の複合同期信号Ａについての詳細水平周期計測、図８（ｂ）は、図１２の複合同期信号Ｂについての概略水平周期計測、図８（ｃ）は、図１２の複合同期信号Ｃについての概略水平周期計測、図８（ｄ）は、図１２の複合同期信号Ｃについての詳細水平周期計測の様子を示したタイムチャート図である。図１２の複合同期信号Ａについての概略水平周期計測、図１２の複合同期信号Ｂについての詳細水平周期計測については、各々図５、図７にて説明したとおりである。このように各々のケースについて本発明が適用可能である。
【００４０】
【発明の効果】
以上説明したように、本発明によれば、ビデオ信号を入力し、該信号の画像情報を取り込んでプリンタに出力したり、ネットワークを介して他の装置に送信したり、プロジェクタに出力するための画像取り込み装置において、複合同期信号からの同期信号分離に関して従来のような画像サイズ情報を必要とせず、さらに垂直同期部に等化パルスが存在するケースや垂直同期部にセレーションがないケースにおいても確実に行うことができ、同期信号分離の確度を飛躍的に向上させることが可能となる。結果、画像取り込み装置の接続対象ホスト装置の種類、台数を大幅に増やすことが可能となる。
【図面の簡単な説明】
【図１】本発明の実施の形態の画像取り込み装置の外部接続構成例（ａ）、及び他の外部接続構成例（ｂ）を示すブロック図である。
【図２】本発明の画像取り込み装置の全体構成を示すブロック図である。
【図３】本発明に係るビデオ信号受信部の内部ブロック図である。
【図４】本発明に係る水平周期計測ブロックの内部ブロック図である。
【図５】本発明に係る水平周期概略計測部の動作を説明するタイムチャート図である。
【図６】本発明に係る水平周期概略計測部の動作を説明するタイムチャート図である。
【図７】本発明に係る水平周期詳細計測部の動作を説明するタイムチャート図である。
【図８】本発明に係る水平周期概略計測部または水平周期詳細計測部の動作を説明するタイムチャート図である。
【図９】コンポジットビデオ信号波形を説明するための波形図である。
【図１０】コンポジットビデオ信号から複合同期信号を分離する回路例である。
【図１１】複合同期信号からＶ信号を分離する方法を説明するタイムチャート図である。
【図１２】複合同期信号の種類およびタイミングを説明するタイムチャート図である。
【符号の説明】
１        画像取り込み装置
２        水平周期計測ブロック
２１      ＣＰＵ
２２      ＲＯＭ
２３      ＲＡＭ
２４      ＮＶＲＡＭ
２５      操作パネル制御部
２６      ビデオ信号受信部
２７      画像メモリ書き込み／読み出し制御部
２８      画像メモリ
２９      プリンタインタフェース部
３０      ネットワークインタフェース部
３１      ビデオ信号出力部
３２      ディスクドライブインタフェース部
３３      メモリカードインタフェース部
３４      操作パネル
４１      ＡＣカップリング回路
４２      オペアンプ
４３      Ａ／Ｄコンバータ
４４      コンパレータ
４５      セレクタ
４６      シンクセパレータ
４７      水平周期概略計測部
４８      水平周期詳細計測部
４９      セレクタ
５１      カウンタ
５２      カウンタ
５３      カウンタ
５４      カウンタ
ＲＡ      レッドアナログ画像信号
ＧＡ      グリーンアナログ画像信号
ＢＡ      ブルーアナログ画像信号
ＨＩＮ    水平同期信号
ＶＩＮ    垂直同期信号
ＲＤ      レッドデジタル画像信号
ＧＤ      グリーンデジタル画像信号
ＢＤ      ブルーデジタル画像信号
ＨＯＵＴ  ビデオ信号受信部２６から出力される水平同期信号
ＶＯＵＴ  ビデオ信号受信部２６から出力される垂直同期信号
ＣＮＴ１  カウンタ５１のカウント値
ＥＮ２    カウンタ５１のカウントイネーブル信号
ＣＬＫ    カウンタ５２、カウンタ５４のクロック信号
ｔ        カウンタ５２のカウント時間
ＳＴ      カウンタ５２の起動信号
ＰＬＳ    シンクセパレータ４６での同期信号分離に用いるワンショットパルス幅の設定値
ＨＳＹＮＣ  シンクセパレータ４６から出力される水平同期信号
ＶＳＹＮＣ  シンクセパレータ４６から出力される垂直同期信号
ＥＮ３    カウンタ５４のカウントイネーブル信号
ＣＮＴ４  カウンタ５４のカウント値
【図１】
2004328441.tif 000003
【図２】
2004328441.tif 000004
【図３】
2004328441.tif 000005
【図４】
2004328441.tif 000006
【図５】
2004328441.tif 000007
【図６】
2004328441.tif 000008
【図７】
2004328441.tif 000009
【図８】
2004328441.tif 000010
【図９】
2004328441.tif 000011
【図１０】
2004328441.tif 000012
【図１１】
2004328441.tif 000013
【図１２】
2004328441.tif 000014